(57)【要約】【課題】      従来の温冷式健康器具では、温熱材は電子レンジで暖め冷熱材は冷蔵庫または冷凍庫で冷やさなければならなかった。また急温冷効果のため、本体を交互に半回転させなければならなかった。【解決手段】  本体の先に放冷熱補助板が張られたペルチェ素子を設け、本体内部の常温を保つ空調ファンと吸気口と排気口を設け、直流電気を電気コンロールボックスとコントロールスイッチにて電源のオン・オフや温度の強弱や温冷熱期間の調整を担い、ペルチェ素子へと配線されるという構造をもつ。【選択図】図１
0003128701.tif 000002
【実用新案登録請求の範囲】
【請求項１】
本体の先に放冷熱補助板が張られたペルチェ素子を設け、そのペルチェ素子の外周に断熱材を設け、本体内部にファンを設ける。また本体にと通気口と電源モードＬＥＤ・温冷モードＬＥＤを備えた電気コンロールスイッチボックス設ける。以上の構造をもつ温冷式健康促進器具。
【請求項２】
請求項１における本体をシャワー型本体にして、その先に中心ペルチェ素子と囲みペルチェ素子を設けた温冷式健康促進器具。
【請求項３】
請求項２における中心ペルチェ素子と囲みペルチェ素子を、単体のペルチェ素子とした温冷式健康促進器具。
【請求項４】
請求項１における本体をはさみ型本体にして、その両先端にペルチェ素子を設けた温冷式健康促進器具。
【請求項５】
電気コントロールスイッチボックスが配線されたシート型シリコンラバー本体に、放冷熱補助板が張られたペルチェ素子を複数個設けた温冷式健康促進器具。
【請求項６】
請求項５における放冷熱補助板をフラット型放冷熱補助板にした温冷式健康促進器具。
【考案の詳細な説明】
【技術分野】
【０００１】  本考案は、ペルチェ素子の温冷作用を使った血行促進による温冷式健康促進器具に関するものである。
【背景技術】
【０００２】  温熱材を暖め冷熱材を冷やし、各温冷熱材が着脱式の急温冷効果による健康器具がある。
【特許文献１】  特開２００２−８５４４０号公報
【考案の開示】
【考案が解決しようとする課題】
【０００３】  温熱材は電子レンジで暖め、冷熱材は冷蔵庫または冷凍庫で冷やさなければならなかった。また急温冷効果のため、本体を交互に半回転させなければならなかった。本考案は以上の課題を解消するためのものである。
【課題を解決するための手段】
【０００４】  本体の先に放冷熱補助板が張られたペルチェ素子を設け、本体内部の常温を保つ空調ファンと通気口を設け、直流電気を電気コンロールボックスとコントロールスイッチにて電源のオン・オフや温度の強弱や温冷熱期間の調整を担い、ペルチェ素子へと配線されるという構造をもつ。
【考案の効果】
【０００５】  温冷熱の反転作用をもつペルチェ素子を使うことにより、温冷式血行促進効果が電子制御下にて行うことがでる。
【実施例１】
【０００６】  以下、本考案の実施の形態について説明する。
本体（１）の先に放冷熱補助板（３）が張られたペルチェ素子（２）の面を外向きに取り付け、ペルチェ素子（２）の外周の角を保護し肌との接触を滑らかにするために、シリコンまたは耐熱樹脂を素材とした断熱材（４）などを設ける。また、本体内部の常温を保つための空調用のファン（５）と複数の通気口（６）を設ける。配線ルートはコンセント先、または本体に設けられたＡＣアダプター（１０）から電源のオン・オフ状態を示す電源モードＬＥＤ（８）とペルチェ素子（２）の温冷モード状態を示す温冷モードＬＥＤ（９）を備えた電気コントロールスイッチボックス（７）に接続される。その電気コントロールスイッチボックス（７）では、電源のオン・オフと温度設定と温冷熱切り替え周期の調整を行い、最後にペルチェ素子（２）に配線されるという構造をもつペルチェ素子の温冷作用を使った血行促進による温冷式健康促進器具である。使用にあたっては、まず肩こりなど血行促進をしたい身体部分にペルチェ素子（２）をあてがう。次に電気コントロールスイッチボックス（７）の電源スイッチを入れ電流のワット数による上限と下限各々の任意の温度設定をし、温冷切り替えのインターバル時間の設定をする。温冷設定については図６の表のように電気コントロールスイッチボックス（７）によるプラスマイナスの切り替えによって約０〜１０℃の低温度帯から約３５〜５０℃の高温度帯へと時間設定で繰り返され、その温冷熱による温度差を利用して効果的な血行促進が得られる。特に冷やすことにより身体の接触部分の体温をいたずらに上がることを防ぎ、従って長時間の使用ができることとなる。【０００７】  請求項２においては、中心ペルチェ素子を暖めて囲みペルチェ素子郡を冷やし、次に中心ペルチェ素子を冷やし囲みペルチェ素子郡を暖めるという常に温冷を逆にすることを定時にて繰り返す。使用時は身体の一カ所にこれを当て続けることにより、暖められた部分と冷やされた部分が順次反復されるのでより効果的な血行促進が得られる。【０００８】  請求項４においては、身体を挟むように当てるので身体の両面から暖められた部分と冷やされた部分が反復されるので、より効果的な血行促進が得られる。【０００９】  請求項５においては、本体がシート型で身体を包むように当てるので、より効果的な血行促進が得られる。
【図面の簡単な説明】
【００１０】
【図１】  本考案の断面図である。
【図２】  本考案の斜視図である。
【図３】  本考案の本体を請求項２のシャワー型本体にし、ペルチェ素子を中心ペルチェ素子と囲みペルチェ素子にした断面図である。
【図４】  請求項２の底面図である。
【図５】  請求項２の中心ペルチェ素子と囲みペルチェ素子を、請求項３の単体のペルチェ素子にした底面図である。
【図６】  本考案のペルチェ素子における温度変化を示した表である。
【図７】  本考案の本体を請求項４のはさみ型本体にした断面図である。
【図８】  請求項４の使用時の斜視図である。
【図９】  請求項５の斜視図である。
【図１０】  請求項５の本体の断面図である。
【図１１】  請求項５の放冷熱補助板をフラット型放冷熱補助板にした本体の断面図である。
【符号の説明】
【００１１】１  本体
２  ペルチェ素子
３  放温冷熱補助板
４  断熱材
５  ファン
６  通気口
７  電気コントロールスイッチボックス
８  電源モードＬＥＤ
９  温冷モードＬＥＤ
１０  ＡＣアダプター
１１  シャワー型本体
１２  ＬＥＤボックス
１３  中心ペルチェ素子
１４  囲みペルチェ素子
１５  はさみ型本体
１６  バネ
１７  シート型シリコンラバー本体
１８  フラット型放冷熱補助板
【図１】
0003128701.tif 000003
【図２】
0003128701.tif 000004
【図３】
0003128701.tif 000005
【図４】
0003128701.tif 000006
【図５】
0003128701.tif 000007
【図６】
0003128701.tif 000008
【図７】
0003128701.tif 000009
【図８】
0003128701.tif 000010
【図９】
0003128701.tif 000011
【図１０】
0003128701.tif 000012
【図１１】
0003128701.tif 000013
【手続補正書】
【提出日】平成18年6月30日(2006.6.30)
【手続補正１】
【補正対象書類名】実用新案登録請求の範囲
【補正対象項目名】全文
【補正方法】変更
【補正の内容】
【実用新案登録請求の範囲】
【請求項１】
通気口とファンと電源モードＬＥＤ・温冷モードＬＥＤを備えた電気コンロールスイッチボックスを設けた本体の先に、放冷熱補助板が張られたペルチェ素子を設け、そのペルチェ素子の外周に断熱材を設けた、以上からなる温冷式健康促進器具。
【請求項２】
請求項１における本体をシャワー型本体にして、その先に中心ペルチェ素子と囲みペルチェ素子を設けた温冷式健康促進器具。
【請求項３】
請求項２における中心ペルチェ素子と囲みペルチェ素子を、単体のペルチェ素子とした温冷式健康促進器具。
【請求項４】
請求項１における本体をはさみ型本体にして、その両先端にペルチェ素子を設けた温冷式健康促進器具。
【請求項５】
電気コントロールスイッチボックスが配線されたシート型シリコンラバー本体に、放冷熱補助板が張られたペルチェ素子を複数個設けた事を特徴とする、請求項１に記載の温冷式健康促進器具。
【請求項６】
請求項５における放冷熱補助板をフラット型放冷熱補助板にした温冷式健康促進器具。
【手続補正書】
【提出日】平成18年10月13日(2006.10.13)
【手続補正１】
【補正対象書類名】実用新案登録請求の範囲
【補正対象項目名】全文
【補正方法】変更
【補正の内容】
【実用新案登録請求の範囲】
【請求項１】
通気口とファンと電源モードＬＥＤ・温冷モードＬＥＤを備えた電気コンロールスイッチボックスを設けた本体の先に、放冷熱補助板が張られたペルチェ素子を設け、そのペルチェ素子の外周に断熱材を設けた、以上からなる温冷式健康促進器具。
【請求項２】
シャワー型の本体で、中心ペルチェ素子の周囲に複数の囲みペルチェ素子を設けたことを特徴とする請求項１に記載の温冷式健康促進器具。
【請求項３】
単体のペルチェ素子を設けたことを特徴とする請求項２に記載の温冷式健康促進器具。
【請求項４】
はさみ型の本体の両先端にペルチェ素子を設けたことを特徴とする請求項１に記載の温冷式健康促進器具。
【請求項５】
電気コントロールスイッチボックスが配線されたシート型シリコンラバー本体に、放冷熱補助板が張られたペルチェ素子を複数個設けた事を特徴とする、請求項１に記載の温冷式健康促進器具。
【請求項６】
フラット型の放冷熱補助板を設けたことを特徴とする請求項５に記載の温冷式健康促進器具。